(57)【要約】      （修正有）【課題】著しいシステム変更や複数ポートの通信を同時に停止することを伴わずに通信光可視化構造を実装していない光通信関連設備に通信光可視化構造を容易に実装することが可能な通信光可視化コードを提供する。【解決手段】光通信路の一部を構成する光ファイバ１０８が収容されている光コード１０１と、光コード１０１の先端部に取り付けられているブーツ１０２と、ブーツ１０２の先端部に取り付けられているコネクタ１０３と、コネクタ１０３に保持されていると共に光ファイバ１０８の先端部が収容されているフェルール１０４と、コネクタ１０３とフェルール１０４との間に設けられている付勢部品１０５と、光ファイバ１０８を通じて伝送されている通信光の一部を漏洩光として取り出す光カプラ１０６と、漏洩光を散乱させる光散乱媒質１０７と、を備えている通信光可視化コード１００である。【選択図】図３
2017049337.tif 000002
【特許請求の範囲】
【請求項１】
光通信路における通信状況の目視確認を目的として前記光通信路を通じて伝送されている通信光の可視化を実現するための通信光可視化コードであって、
前記光通信路の一部を構成する光ファイバが収容されている光コードと、
前記光コードの先端部に取り付けられているブーツと、
前記ブーツの先端部に取り付けられているコネクタと、
前記コネクタに保持されていると共に前記光ファイバの先端部が収容されているフェルールと、
前記コネクタと前記フェルールとの間に設けられている付勢部品と、
前記光ファイバを通じて伝送されている前記通信光の一部を漏洩光として取り出す光カプラと、
前記漏洩光を散乱させる光散乱媒質と、
を備えていることを特徴とする通信光可視化コード。
【請求項２】
前記光カプラは、２入力２出力の光カプラからなる請求項１に記載の通信光可視化コード。
【請求項３】
前記光散乱媒質は、セラミック材料からなる請求項１又は２に記載の通信光可視化コード。
【発明の詳細な説明】
【技術分野】
【０００１】
本発明は、光通信路における通信状況の目視確認を目的として光通信路を通じて伝送されている通信光の可視化を実現するための通信光可視化コードに関する。
【背景技術】
【０００２】
光通信関連設備は、光通信路における通信状況の目視確認を目的として光通信路を通じて伝送されている通信光の可視化を実現するための通信光可視化構造を実装していることがある。通信光可視化構造としては、光通信路に光散乱媒質を介在させることにより光通信路を通じて伝送されている通信光の一部を漏洩光とし、その漏洩光を受光素子で検知することにより光通信路を通じて通信光が伝送されているか否かを判定し、光通信路を通じて通信光が伝送されているか否かを発光素子を通じて作業者に表示することにより光通信路における通信状況の目視確認を可能とするものが知られている（例えば、特許文献１から４を参照）。
【先行技術文献】
【特許文献】
【０００３】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【発明の概要】
【発明が解決しようとする課題】
【０００４】
通信光可視化構造を実装している光通信関連設備においては、光通信路における通信状況の目視確認が行えるため、光通信路の監視や保守等を容易に実施することができるが、通信光可視化構造は新技術であることから、通信光可視化構造を実装していない光通信関連設備も存在している。これらの光通信関連設備に通信光可視化構造を実装する場合はパッチパネルの交換が必要になることがあるが、パッチパネルの交換は著しいシステム変更や複数ポートの通信を同時に停止する必要があるという課題がある。
【０００５】
そこで、本発明の目的は、著しいシステム変更や複数ポートの通信を同時に停止することを伴わずに通信光可視化構造を実装していない光通信関連設備に通信光可視化構造を容易に実装することが可能な通信光可視化コードを提供することにある。
【課題を解決するための手段】
【０００６】
本発明は、光通信路における通信状況の目視確認を目的として前記光通信路を通じて伝送されている通信光の可視化を実現するための通信光可視化コードであって、前記光通信路の一部を構成する光ファイバが収容されている光コードと、前記光コードの先端部に取り付けられているブーツと、前記ブーツの先端部に取り付けられているコネクタと、前記コネクタに保持されていると共に前記光ファイバの先端部が収容されているフェルールと、前記コネクタと前記フェルールとの間に設けられている付勢部品と、前記光ファイバを通じて伝送されている前記通信光の一部を漏洩光として取り出す光カプラと、前記漏洩光を散乱させる光散乱媒質と、を備えている通信光可視化コードである。
【０００７】
前記光カプラは、２入力２出力の光カプラからなることが望ましい。
【０００８】
前記光散乱媒質は、セラミック材料からなることが望ましい。
【発明の効果】
【０００９】
本発明によれば、著しいシステム変更や複数ポートの通信を同時に停止することを伴わずに通信光可視化構造を実装していない光通信関連設備に通信光可視化構造を容易に実装することが可能な通信光可視化コードを提供することができる。
【図面の簡単な説明】
【００１０】
【図１】本発明に係る通信光可視化コードを示す平面図である。
【図２】本発明に係る通信光可視化コードを示す側面図である。
【図３】本発明に係る通信光可視化コードを示す側断面図である。
【図４】本発明に係る通信光可視化コードにおける光コードを示す側断面図である。
【図５】本発明に係る通信光可視化コードにおけるブーツを示す側断面図である。
【図６】本発明に係る通信光可視化コードにおけるコネクタを示す側断面図である。
【図７】本発明に係る通信光可視化コードにおけるフェルールを示す側断面図である。
【図８】本発明に係る通信光可視化コードにおける光カプラを示す側断面図である。
【発明を実施するための形態】
【００１１】
以下、本発明の実施の形態を添付図面に順って説明する。
【００１２】
図１から図３に示す通り、本発明の実施の形態に係る通信光可視化コード１００は、光通信路における通信状況の目視確認を目的として光通信路を通じて伝送されている通信光の可視化を実現するためのものである。光通信路における通信状況としては、例えば、光通信路の使用／不使用の状態が挙げられる。
【００１３】
通信光可視化コード１００は、光コード１０１と、ブーツ１０２と、コネクタ１０３と、フェルール１０４と、付勢部品１０５と、光カプラ１０６と、光散乱媒質１０７と、を備えている。
【００１４】
図４に示す通り、光コード１０１は、柔軟性が高いポリ塩化ビニル樹脂等を中空筒状に成形してなり、光通信路の一部を構成する光ファイバ１０８を収容している。これにより、光ファイバ１０８を保護することができ、光ファイバ１０８の損傷や破断を防止することが可能となる。なお、光ファイバ１０８の周囲に保護層が形成されていても構わないが、先端部において保護層が剥ぎ取られて光ファイバ１０８が露出している必要がある。
【００１５】
図５に示す通り、ブーツ１０２は、柔軟性が高いポリエステルエラストマ樹脂等を中空筒状に成形してなり、光コード１０１の先端部に取り付けられている。また、ブーツ１０２の外径は、光コード１０１の後端部から光コード１０１の先端部に掛けて、即ち、光コード１０１の側からコネクタ１０３の側に掛けて徐々に拡径している。これにより、光コード１０１の屈曲時に光コード１０１の根元部分（コネクタ１０３との境界部分）に集中する応力を軽減することができるため、光コード１０１の根元部分で疲労破断が発生することを抑制することが可能となる。更に、ブーツ１０２は所々に肉抜部１０９を有しているため、光コード１０１の根元部分における柔軟性を確保しながらも光コード１０１の疲労破断を抑制することが可能となる。なお、ブーツ１０２の先端部は段差部１１０を介してコネクタ１０３に係合されているため、ブーツ１０２とコネクタ１０３とが強固に固定されている。これにより、ブーツ１０２がコネクタ１０３から抜け難くなるため、通信光可視化コード１００の引張強度を向上させることが可能となる。また、ブーツ１０２には、光散乱媒質１０７が取り付けられており、光カプラ１０６で取り出された漏洩光を散乱させるようになっている。
【００１６】
図６に示す通り、コネクタ１０３は、ポリフェニレンサルファイド樹脂等を中空筒状に成形してなり、ブーツ１０２の先端部に取り付けられている。また、コネクタ１０３は、外面に突起部１１１を有している。これにより、光コード１０１をＳＣアダプタ等の光アダプタに対して決められた方向で確実に挿入することができるため、挿入ミス等による誤動作を確実に防止することが可能となる。更に、コネクタ１０３は、内周面に座面１１２を有している。これにより、コネクタ１０３とフェルール１０４との間に付勢部品１０５を保持し、フェルール１０４を光コード１０１の先端部、即ち、接続対象となる光アダプタのフェルール等に向けて押し付けることができるため、光コード１０１と光アダプタとの接続に伴う接続損失等を低減することが可能となる。また、コネクタ１０３は、後端部で光コード１０１を保持する小径部１１３とコネクタ１０３の外縁を形成する大径部１１４とがスリット１１５を挟んで配置された二重管構造を呈している。これにより、スリット１１５にブーツ１０２の先端部を挿入してブーツ１０２の段差部１１０とスリット１１５の爪部１１６とを係合させることができるため、ブーツ１０２とコネクタ１０３とを強固に固定することが可能となる。なお、コネクタ１０３は、外周面が凹凸面１１７となっている。これにより、作業者がコネクタ１０３を確実に摘むことができるため、コネクタ１０３の取扱性を向上させることが可能となる。
【００１７】
図７に示す通り、フェルール１０４は、ジルコニア等を中空筒状に成形してなり、コネクタ１０３に保持されていると共に光ファイバ１０８の先端部を収容している。より具体的には、フェルール１０４は、キャップ１２２の外壁を介してコネクタ１０３に保持されており、光ファイバ１０８の光軸が所望の位置になるように位置を合わされている。また、フェルール１０４は、フランジ１１９を有しており、フランジ１１９の後端面１２０とコネクタ１０３の座面１１２との間に付勢部品１０５が保持されている。更に、フランジ１１９の先端面１２１にキャップ１２２が取り付けられている。これにより、フェルール１０４がコネクタ１０３から抜けることを防止している。
【００１８】
図８に示す通り、光カプラ１０６は、光ファイバ１０８を通じて伝送されている通信光の一部を漏洩光として取り出す機能を有している。また、光カプラ１０６は、２入力２出力の光カプラからなり、その出力のそれぞれが光散乱媒質１０７の別の領域１２３、１２４に接続されている。そのため、領域１２３、１２４のどちらで漏洩光が散乱されているかを監視することにより、通信光が光ファイバ１０８のどちらに向かって伝送されているのかを知ることが可能となる。なお、通常は、通信光（及び漏洩光）が不可視光であるため、赤外線カメラ等を使用して漏洩光の散乱を監視することにより、通信光の有無を検知することが可能となる。なお、赤外線カメラ等による監視結果を作業者が装着しているめがね型端末等に画像や映像として送信することにより、作業者が手を使うことなく、ウェラブルに通信光の有無を検知することも可能となる。
【００１９】
これまで説明してきた通信光可視化コード１００によれば、１ポートずつ既存のパッチコードを通信光可視化コード１００に交換するだけで通信光可視化構造を実装していない光通信関連設備に通信光可視化構造を実装することができるため、著しいシステム変更や複数ポートの通信を同時に停止することを伴わずに通信光可視化構造を実装していない光通信関連設備に通信光可視化構造を容易に実装することが可能となる。
【符号の説明】
【００２０】
１００  通信光可視化コード
１０１  光コード
１０２  ブーツ
１０３  コネクタ
１０４  フェルール
１０５  付勢部品
１０６  光カプラ
１０７  光散乱媒質
１０８  光ファイバ
１０９  肉抜部
１１０  段差部
１１１  突起部
１１２  座面
１１３  小径部
１１４  大径部
１１５  スリット
１１６  爪部
１１７  凹凸面
１１８  スリーブ
１１９  フランジ
１２０  後端面
１２１  先端面
１２２  キャップ
１２３  領域
１２４  領域
【図１】
2017049337.tif 000003
【図２】
2017049337.tif 000004
【図３】
2017049337.tif 000005
【図４】
2017049337.tif 000006
【図５】
2017049337.tif 000007
【図６】
2017049337.tif 000008
【図７】
2017049337.tif 000009
【図８】
2017049337.tif 000010